(57)【要約】      （修正有）【課題】ゴミを円滑に除去しつつ、メンテナンスが容易で、尚かつ簡易な構造で清掃性も良く、砂などの小さいゴミでも除去できる取水器のゴミ取り装置を提供する。【解決手段】雨水排水経路中に排水を分流する取水器１を設け、取水器１内部に配置される、排水中のゴミなどを排水と分離する分離板３を備えた沈殿室２と、から構成し、さらに沈殿槽２１を脱着自在の構成とした。また、分離板３を、中心に開口部３１を設けた漏斗状の傾斜面によって構成した。【選択図】図１１
2011149180.tif 000002
【特許請求の範囲】
【請求項１】
雨水排水経路中に排水を分流する取水器１を設け、
取水器１内部に配置される、排水中のゴミなどを排水と分離する分離板３を備えた沈殿室２と、
から構成されたことを特徴とする取水器のゴミ取り装置。
【請求項２】
前記沈殿室２に脱着自在に配置される沈殿槽２１を構成したことを特徴とする前記請求項１に記載の取水器のゴミ取り装置。
【請求項３】
前記分離板３を、中心に開口部３１を設けた漏斗状の傾斜面によって構成したことを特徴とする前記請求項１乃至請求項２のいずれか一つに記載の取水器のゴミ取り装置。
【請求項４】
前記取水器１によって分流された雨水は、最終的には雨水タンク８に貯水されることを特徴とする前記請求項１乃至請求項３のいずれか一つに記載の取水器のゴミ取り装置。
【請求項５】
前記沈殿室２内に排水が流入する流入口５を設け、当該流入口５を沈殿室２内において排水を遠心力で旋回流させるべく沈殿室２の外周上の接線と上記流入口５の管芯の交点で偏芯して配置したことを特徴とする前記請求項１乃至請求項４のいずれか一つに記載の取水器のゴミ取り装置。
【請求項６】
取水器１に、取水器１外へ排水を排出するための流出口６を構成するとともに、沈殿室２内に流入した排水が流出口６へと排水されるよう上端が開放されて排水が通過できるスペースを設けたオーバーフロー壁７を備えたことを特徴とする請求項１乃至請求項５のいずれか一つに記載の取水器のゴミ取り装置。
【請求項７】
雨樋９の竪樋９１の途中箇所に配置して、竪樋９１からの排水を沈殿室２方向へ横引きに配管するアダプター室４を構成し、当該アダプター室４の側方に、前記沈殿室２を配置し、アダプター室４と沈殿室２とを流入口５によって連通して構成したことを特徴とする前記請求項１乃至請求項６のいずれか一つに記載の取水器のゴミ取り装置。
【請求項８】
アダプター室４もしくは竪樋９１の内周に、竪樋９１内の排水を取水器１内部に導入させるためのガイドとなる螺旋形状を備えたことを特徴とする前記請求項７に記載の取水器のゴミ取り装置。
【発明の詳細な説明】
【技術分野】
【０００１】
本発明は、トイレの水や園芸用の水として利用するために雨水をタンクに貯水する技術において、特に雨水排水経路から雨水タンクへと分岐させる取水器に関する技術である。
【背景技術】
【０００２】
図７に示したように、現在、環境問題に対応するために、雨水を貯水してトイレの排水や園芸用の水として再利用することによって、環境負荷を減らそうという動きが活発になっている。
この、雨水再利用の一つの手法として、屋根に降った雨水を雨樋によって集め、地中の雨水桝へと排水する雨水排水経路の途中を分岐させ、この分岐配管を雨水を貯水する雨水タンクへと接続し、雨樋中の排水を雨水タンクによって雨水を貯水するシステムがある。このようなシステムで有れば、簡単な構造であるため一般家庭でも気軽に設置することができ、更には、貯水した雨水を再利用することによって地球環境にも良い、というものである。（以上のシステムを以下、雨水排水システムと記載する。）
【０００３】
ここで、従来例として図１４に示した雨水排水システムがある。
この従来例の雨水排水システムは、雨樋、雨水タンク、取水装置、から成る。
雨樋は、雨水などの液体を雨水桝へ運ぶのに用いる設備であり、本従来例では、軒樋、集水器、竪樋から構成される。当該軒樋は、屋根の軒下に並列的に配置されて、屋根から流れ落ちる雨水を受け止めるよう配置され、更に軒樋の下流に設置された集水器によって、軒樋からの雨水（排水）を一箇所に集め、集水器に接続されたエルボや縦管上の竪樋を通して最終的には雨水桝へと排水される。
雨水タンクは、蛇口を有した箱体であって、内部に上記した雨樋からの雨水を貯水するタンクである。尚、使用者は、雨水タンクに構成された蛇口により内部の雨水を利用することとなる。
取水器は、竪樋中に設置されて、竪樋内の排水を分流する装置であって、本従来例では、竪樋内部に設置され、横引き状に前記雨水タンクへと配管して成る。
また、本取水器上部にはフィルターが内蔵されており、当該フィルターによって、排水中の枯れ葉や落ち葉、ゴミ、ホコリなどを捕集する構成となっている。
【０００４】
また、別の従来例として、図１５に示したような雨水排水システムがある。
この従来例の雨水排水システムは、雨樋、雨水タンク、取水装置、から成る。
雨樋は、雨水などの液体を雨水桝へ運ぶのに用いる設備であり、本従来例では、軒樋、集水器、竪樋から構成される。当該軒樋は、屋根の軒下に並列的に配置されて、屋根から流れ落ちる雨水を受け止めるよう配置され、更に軒樋の下流に設置された集水器によって、軒樋からの雨水（排水）を一箇所に集め、集水器に接続されたエルボや縦管上の竪樋を通して最終的には雨水桝へと排水される。
雨水タンクは、蛇口を有した箱体であって、内部に上記した雨樋からの雨水を貯水するタンクである。尚、使用者は、雨水タンクに構成された蛇口により内部の雨水を利用することとなる。
取水器は、竪樋内の排水を分流する装置であって、本従来例では、竪樋内部の途中箇所に設置され、横引き状に前記雨水タンクへと配管して成る。
また、取水装置は、竪樋部分よりも側方に飛び出した形状となっており、当該飛び出した箇所にフィルターが内蔵され、更に、上部に開閉自在な蓋を構成してなる。当該フィルターによって、排水中の枯れ葉や落ち葉、ゴミ、ホコリなどを捕集する構成となっている。
【先行技術文献】
【特許文献】
【０００５】
【特許文献１】特開2001-115501号公報
【特許文献２】特開2009-052327号公報
【発明の概要】
【発明が解決しようとする課題】
【０００６】
上記した一般的な雨水排水システムでは、雨樋中や屋根上に滞留していた落ち葉や枯れ葉などのゴミや、ホコリ、そして、当然ながら砂や泥なども滞留している為、雨水にもこのようなゴミが混入してしまう。このようなゴミが雨水タンクに集水されると、雨水タンクの内部で水が腐敗する原因になったり、排水中のゴミが邪魔になったり汚くなってしまう為、家庭菜園やトイレなどで再利用できなくなってしまう。このような問題を解決するため、雨水排水システムではゴミ取り装置を付けることが必要となる。
ここで、上記した図１４のような従来例では、以下のような問題があった。
本従来例では、ゴミ取り装置に網目状のフィルターを使用しているため、ゴミがすぐ詰まってしまう。ゴミ詰まりが発生すると、雨水タンクへの排水が滞るばかりか、竪樋中で排水が逆流してしまうといった問題があった。
竪樋内に取水器を備えているため、ゴミ取り装置であるフィルターが竪樋中に配置されるため、フィルターを取り外すことが困難であり、使用者にとっては非常にメンテナンスしづらいものであった。
また、更に、上記した図１５のような従来例では、以下のような問題があった。
本従来例では、ゴミ取り装置に網目状のフィルターを使用しているため、ゴミがすぐ詰まってしまう。ゴミ詰まりが発生すると、雨水タンクへの排水が滞るばかりか、竪樋中で排水が逆流してしまうといった問題があった。また、フィルターの問題点として、砂などの細かいゴミについてはフィルターの網目を通過してしまうことがあり、結果、雨水タンク内に砂が混入してしまうことがあった。また、フィルター部材は排水を濾過するため、劣化が激しくなってしまい、コストパフォーマンスは非常に悪い。
【０００７】
従って、本発明の取水器のゴミ取り装置は、ゴミを円滑に除去しつつ、メンテナンスが容易で、尚かつ簡易な構造で清掃性も良く、砂などの小さいゴミでも除去できる取水器のゴミ取り装置を提供する。
【課題を解決するための手段】
【０００８】
本発明の請求項１は、雨水排水経路中に排水を分流する取水器１を設け、取水器１内部に配置される、排水中のゴミなどを排水と分離する分離板３を備えた沈殿室２と、から構成されたことを特徴とする取水器のゴミ取り装置である。
【０００９】
本発明の請求項２は、前記沈殿室２に脱着自在に配置される沈殿槽２１を構成したことを特徴とする前記段落０００８に記載の取水器のゴミ取り装置である。
【００１０】
本発明の請求項３は、前記分離板３を、中心に開口部３１を設けた漏斗状の傾斜面によって構成したことを特徴とする前記段落０００８乃至段落０００９のいずれか一つに記載の取水器のゴミ取り装置である。
【００１１】
本発明の請求項４は、前記取水器１によって分流された雨水は、最終的には雨水タンク８に貯水されることを特徴とする前記段落０００８乃至段落００１０のいずれか一つに記載の取水器のゴミ取り装置である。
【００１２】
本発明の請求項５は、前記沈殿室２内に排水が流入する流入口５を設け、当該流入口５を沈殿室２内において排水を遠心力で旋回流させるべく沈殿室２の外周上の接線と上記流入口５の管芯の交点で偏芯して配置したことを特徴とする前記段落０００８乃至段落００１１のいずれか一つに記載の取水器のゴミ取り装置である。
【００１３】
本発明の請求項６は、取水器１に、取水器１外へ排水を排出するための流出口６を構成するとともに、沈殿室２内に流入した排水が流出口６へと排水されるよう上端が開放されて排水が通過できるスペースを設けたオーバーフロー壁７を備えたことを特徴とする前記段落０００８乃至段落００１２のいずれか一つに記載の取水器のゴミ取り装置である。
【００１４】
本発明の請求項７は、雨樋９の竪樋９１の途中箇所に配置して、竪樋９１からの排水を沈殿室２方向へ横引きに配管するアダプター室４を構成し、当該アダプター室４の側方に、前記沈殿室２を配置し、アダプター室４と沈殿室２とを流入口５によって連通して構成したことを特徴とする前記段落０００８乃至段落００１３のいずれか一つに記載の取水器のゴミ取り装置である。
【００１５】
本発明の請求項８は、アダプター室４もしくは竪樋９１の内周に、竪樋９１内の排水を取水器１内部に導入させるためのガイドとなる螺旋形状を備えたことを特徴とする前記段落００１４に記載の取水器のゴミ取り装置である。
【発明の効果】
【００１６】
請求項１に記載の取水器のゴミ取り装置は、取水器１内部に配置される、排水中のゴミなどを排水と分離する分離板３を備えた沈殿室２を備えたため、フィルターなどの網目部材を使用せずに排水中のゴミや異物を分離できるようになった。
請求項２に記載の取水器のゴミ取り装置は、沈殿室２に脱着自在に配置される沈殿槽２１を構成したことから、使用者が沈殿槽２１を簡単に取り外すことができ、簡単にゴミ除去などのメンテナンスができるようになった。
請求項３に記載の取水器のゴミ取り装置は、前記分離板３を、中心に開口部３１を設けた漏斗状の傾斜面によって構成したことから、分離板３によって水より大きい比重の異物やゴミであれば、分離板３の中心の開口部３１より下方に沈殿することができ、フィルターなどを備えずに簡易な装置によってゴミと排水を分離することが出来る。
請求項４に記載の取水器のゴミ取り装置は、取水器１によって分流された雨水は、最終的には雨水タンク８に貯水する構成としたため、雨水を有効に貯水して再利用できるようになった。
請求項５に記載の取水器のゴミ取り装置は、沈殿室２内に排水が流入する流入口５を設け、当該流入口５を沈殿室２内において排水を遠心力で旋回流させるべく沈殿室２の外周上の接線と上記流入口５の管芯の交点で偏芯して配置したことから、沈殿室２内で旋回流が発生し、排水中のゴミや砂、異物などが分離板３より下の沈殿槽２１に降下させることができ、分離の効率化及び確実に排水中のゴミや砂を分離させることができる。
請求項６に記載の取水器のゴミ取り装置は、取水器１に、取水器１外へ排水を排出するための流出口６を構成するとともに、沈殿室２内に流入した排水が流出口６へと排水されるよう上端が開放されて排水が通過できるスペースを設けたオーバーフロー壁７を備えたことから、排水中のゴミが分離板３より下流の沈殿槽２１内に流入しやすくなり、異物入りの排水が流出口６より下流に流れ出ることがない。
請求項７に記載の取水器のゴミ取り装置は、雨樋９の竪樋９１の途中箇所に配置して、竪樋９１からの排水を沈殿室２方向へ横引きに配管するアダプター室４を構成し、当該アダプター室４の側方に、前記沈殿室２を配置し、アダプター室４と沈殿室２とを流入口５によって連通したことにより、竪樋９１中に取水器１やゴミ取り装置を備えることなく側方に配置でき、沈殿槽２１が簡単に取り外すことが出来るようになった。
請求項８に記載の取水器のゴミ取り装置は、アダプター室４もしくは竪樋９１の内周に、竪樋９１内の排水を取水器１内部に導入させるためのガイドとなる螺旋形状を備えたことにより、竪樋９１の内周面上に沿うようにして落下する排水を、螺旋形状に沿うように円滑にアダプター室４から沈殿室２内に排水が流入でき、排水をより分流し易い構造とすることができた。
【図面の簡単な説明】
【００１７】
【図１】本発明の第１実施例を示す、一部側面図である。
【図２】本発明の第１実施例の上面図である。
【図３】本発明の第１実施例の、沈殿槽の脱着状態を示す斜視図である。
【図４】本発明の第１実施例の一部切り欠き斜視図である。
【図５】本発明の第１実施例の一部切り欠き斜視図である。
【図６】本発明の第１実施例の斜視図である。
【図７】雨水排水システムを示す一部省略斜視図である。
【図８】本発明の第２実施例を示す、一部側面図である。
【図９】本発明の第２実施例の上面図である。
【図１０】本発明の第２実施例の、沈殿槽の脱着状態を示す斜視図である。
【図１１】本発明の第２実施例の一部切り欠き斜視図である。
【図１２】本発明の第２実施例の一部切り欠き斜視図である。
【図１３】本発明の第２実施例の斜視図である。
【図１４】従来例を示す図である。
【図１５】その他の従来例を示す図である。
【発明を実施するための形態】
【００１８】
本実施例の取水器のゴミ取り装置は、図７に示すような雨水排水システムに用いられる。
図１乃至図７に記載したように本発明の取水器のゴミ取り装置は、合成樹脂から構成され、以下に記載する雨樋９と、雨水タンク８と、取水装置と、から構成される。
雨樋９は、図７に示したように、雨水などの液体を雨水桝へ運ぶのに用いる設備であり、本実施例では、軒樋９２、集水器９３、竪樋９１から構成される。当該軒樋９２は、屋根の軒下に並列的に配置されて、屋根から流れ落ちる雨水を受け止めるよう配置され、更に軒樋９２の下流に設置された集水器９３によって、軒樋９２からの雨水（排水）を一箇所に集め、集水器９３に接続されたエルボや縦管上の竪樋９１を通して最終的には雨水桝へと排水される。
雨水タンク８は、図７に示したように、蛇口を有した箱体であって、内部に上記した雨樋９からの雨水を貯水するタンクである。尚、使用者は、雨水タンク８に構成された蛇口により内部の雨水を利用することとなる。
取水器１は、図１乃至図６に示したように、竪樋９１中に設置されて、竪樋９１内の排水を分流する装置であって、アダプター室４と、沈殿室２と、流入口５と、流出口６と、から構成され、本実施例では、竪樋９１内部に設置され、横引き状に前記雨水タンク８へと配管して成る。
アダプター室４は、図２に示すように、竪樋９１を上下に分割した間に水密的に配置される上下連通した円筒状の部材であり、竪樋９１中の排水を分流して雨水タンク８方向へと排水を流入・分岐させる構成となっている。  内部には、中央に、上下方向に連通する円筒状の通水空間４２が構成され、内周面と通水空間４２に沿うように、螺旋状の螺旋部４１が構成が一体的に構成されており、螺旋部４１の下端のアダプター室４側面には、後記する流入口５を開口して成る。この螺旋部４１によって竪樋９１上から内周に沿うように落下する排水を受け止め、螺旋に沿うように排水を集水し、最終的には螺旋部４１下端位置に開口構成された流入口５により、沈殿室２方向へ排水が排水される構成となっている。尚、当該通水空間４２は円筒状であり、開口が上方の設けられていることから、アダプター室の螺旋部上に排水が硫化してある程度貯水したら、上部の開口から溢れ出るように下流に排水が流下して排水桝方向へ排水されるように構成されている。
沈殿室２は、分離板３と、沈殿槽２１と、オーバーフロー壁７と、から構成され、アダプター室４の側方に配置されて且つアダプター室４に流入口５によって連通して構成される。また、沈殿室２は、排水中のゴミを沈殿させる機能を有する分離板３が構成される。当該分離板３は、図４及び図５に示すように、中心に開口部３１を設けた漏斗状の傾斜面を備えた部材であって、分離板３より下方に、排水から分離されたゴミや砂が沈殿する沈殿槽２１を構成する。沈殿槽２１は、図３に示すように、沈殿室２に対して脱着自在に取り付けられており、両者はパッキンやオーリングなどの水密部材を介して接続されている。
オーバーフロー壁７は、沈殿室２と同心円に位置した上面視円形の壁面体であって、上端が開放されて排水の通水路を形成して沈殿槽２１と分離板３の周囲を囲むように構成される。尚、後記する流入口５は、当該オーバーフロー壁７内部まで連通し、開口されて成る。
流入口５は、図２に示したように、アダプター室４の壁面から沈殿室２内のオーバーフロー壁７内部まで連通する管体であって、沈殿室２内のオーバーフロー壁７内において排水を遠心力で旋回流させるよう、オーバーフロー壁７の円周上の接線と、流入口５の管芯の交点を偏芯させて配置されている。
尚、本実施例では、アダプター室４と沈殿室２は別部材で構成されており、両者を接着等で接続している。
流出口６は、沈殿室２の側面（特に雨水タンク８方向）に構成される管体であって、沈殿室２内の排水を、取水器１外へと排出するための部材である。
【００１９】
上記のように構成された取水器のゴミ取り装置は、以下のような排水の流れとなる。
屋根上に降雨した雨水は、雨樋９の軒樋９２によって受け止め、集水器９３を介して竪樋９１に排水される。竪樋９１の途中位置に取水器１が配置されているため、一部の排水は雨水タンク８方向へ、他の排水は、地中に埋設された雨水桝へと排水される。
竪樋９１内周面を沿うように流下した排水は、取水器１のアダプター室４の螺旋部４１により螺旋部４１上を沿うように流下してアダプター室４内に排水が流入し、螺旋部４１下端に開口された流入口５内に到達した排水が流入口５によって、アダプター室４外へと排水される。その後、排水は流入口５を経由して沈殿室２のオーバーフロー壁７内部へと排水される。このとき、流入口５はオーバーフロー壁７面の円周上の接線と流入口５の円周上の接線が交わるように流入口５が構成されているため、流入口５からの排水は、オーバーフロー壁７面の内周円に沿うように勢いづいて遠心力が働くため、オーバーフロー壁７面内部で旋回流が発生する。そうすると、旋回流が発生している直下に分離板３が配置されるため、旋回流が分離板３の傾斜面に沿って下降し、分離板３の開口部３１より下方にまで到達する。このとき、排水中のゴミや砂が分離板３の下方、すなわち沈殿槽２１内に沈殿することとなる。もちろん、沈殿したゴミは、分離板３があるため上方に浮上することがなく、更に、沈殿した砂は、水より比重が大きい為、沈殿槽２１内に沈殿して浮上することがない。その後、オーバーフロー壁７内部で排水が分離された後、排水はオーバーフロー壁７上端から溢れ、沈殿室２を経由して流出口６より取水器１から排出される。
取水器１から排水された排水は、最終的には雨水タンク８内へと排水される。
尚、沈殿槽２１はネジなどで脱着自在に取り付けられているため、使用者が沈殿槽２１を沈殿室２から簡単に取り外すことができる。
【００２０】
第２実施例の取水器のゴミ取り装置は、図７に示すような雨水排水システムに用いられる。
図７乃至図１３に記載したように本発明の取水器のゴミ取り装置は、合成樹脂から構成され、以下に記載する雨樋９と、雨水タンク８と、取水装置と、から構成される。
雨樋９は、図７に示すように、雨水などの液体を雨水桝へ運ぶのに用いる設備であり、本実施例では、軒樋９２、集水器９３、竪樋９１から構成される。当該軒樋９２は、屋根の軒下に並列的に配置されて、屋根から流れ落ちる雨水を受け止めるよう配置され、更に軒樋９２の下流に設置された集水器９３によって、軒樋９２からの雨水（排水）を一箇所に集め、集水器９３に接続されたエルボや縦管上の竪樋９１を通して最終的には雨水桝へと排水される。
雨水タンク８は、図７に示すように、蛇口を有した箱体であって、内部に上記した雨樋９からの雨水を貯水するタンクである。尚、使用者は、雨水タンク８に構成された蛇口により内部の雨水を利用することとなる。
取水器１は、図８乃至図１３に示すように、竪樋９１中に設置されて、竪樋９１内の排水を分流する装置であって、アダプター室４と、沈殿室２と、流入口５と、流出口６と、から構成され、本実施例では、竪樋９１内部に設置され、横引き状に前記雨水タンク８へと配管して成る。
アダプター室４は、図１０乃至図１３に示すように、竪樋９１を上下に分割した間に水密的に配置される上下連通した円筒状の部材であり、竪樋９１中の排水を分流して雨水タンク８方向へと排水を流入・分岐させる構成となっている。内部には、中央に、上下方向に連通する円筒状の通水空間４２が構成され、内周面と通水空間４２に沿うように、螺旋状の螺旋部４１が構成が一体的に構成されており、螺旋部４１の下端のアダプター室４内周側面には、後記する流入口５を開口して成る。この螺旋部４１によって竪樋９１上から内周に沿うように落下する排水を受け止め、螺旋に沿うように排水を集水し、最終的には螺旋部４１下端位置に開口構成された流入口５により、沈殿室２方向へ排水が排水される構成となっている。尚、当該通水空間４２は円筒状であり、開口が上方の設けられていることから、アダプター室の螺旋部上に排水が硫化してある程度貯水したら、上部の開口から溢れ出るように下流に排水が流下して排水桝方向へ排水されるように構成されている。
沈殿室２は、分離板３と、沈殿槽２１と、オーバーフロー壁７と、から構成され、アダプター室４の側方に配置されて且つアダプター室４に流入口５によって連通して構成される。また、沈殿室２は、排水中のゴミを沈殿させる機能を有する分離板３が構成される。当該分離板３は、図１１又は図１２に示すように、中心に開口部３１を設けた漏斗状の傾斜面を備えた部材であって、分離板３より下方に、排水から分離されたゴミや砂が沈殿する沈殿槽２１を構成する。沈殿槽２１は、沈殿室２に対して脱着自在に取り付けられており、両者はパッキンやオーリングなどの水密部材を介して接続されている。また、後記する流入口５を側面に開口構成して成る。
オーバーフロー壁７は、図１１に示すように、沈殿室２の、流出口６の手前に構成位置した壁面体であって、上端が開放されて排水の通水路を形成して構成される。
尚、本実施例は、アダプター室４と沈殿室２は一体的に構成されて成る。
流入口５は、図９に示すように、アダプター室４の壁面から沈殿室２内部まで連通する管体であって、沈殿室２内において排水を遠心力で旋回流させるよう、沈殿室２の円周上の接線と、流入口５の管芯の交点を偏芯させて配置されている。
流出口６は、沈殿室２の側面（特に雨水タンク８方向）に構成される管体であって、沈殿室２内の排水を、取水器１外へと排出するための管体である。尚、本実施例では、取水器１自体の排水流量を増加させるため、図１１に示すように、流出口６付近を側面方向に膨出する形で構成されて成る。
【００２１】
上記のように構成された取水器のゴミ取り装置は、以下のような排水の流れとなる。
屋根上に降雨した雨水は、雨樋９の軒樋９２によって受け止め、集水器９３を介して竪樋９１に排水される。竪樋９１の途中位置に取水器１が配置されているため、一部の排水は雨水タンク８方向へ、他の排水は、地中に埋設された雨水桝へと排水される。
竪樋９１内周面を沿うように流下した排水は、取水器１のアダプター室４の螺旋部４１により螺旋部４１上を沿うように流下してアダプター室４内に排水が流入し、螺旋部４１下端に開口された流入口５内に到達した排水が流入口５によって、アダプター室４外へと排水される。
その後、排水は流入口５を経由して沈殿室２内部へと排水される。このとき、流入口５は沈殿室２の円周上の接線と流入口５の円周上の接線が交わるように流入口５が構成されているため、流入口５からの排水は、沈殿室２の内周円に沿うように勢いづいて遠心力が働くため、沈殿室２内部で旋回流が発生する。
そうすると、旋回流が発生している直下に分離板３が配置されるため、旋回流が分離板３の傾斜面に沿って下降し、分離板３の開口部３１より下方にまで到達する。このとき、排水中のゴミや砂が分離板３の下方、すなわち沈殿槽２１内に沈殿することとなる。もちろん、沈殿したゴミは、分離板３があるため上方に浮上することがなく、更に、沈殿した砂は、水より比重が大きい為、沈殿槽２１内に沈殿して浮上することがない。その後、沈殿室２内部で排水が分離された後、排水はオーバーフロー壁７上端から溢れ、流出口６より取水器１から排出される。
取水器１から排水された排水は、最終的には雨水タンク８内へと排水される。
尚、沈殿槽２１はネジなどで脱着自在に取り付けられているため、使用者が沈殿槽２１を沈殿室２から簡単に取り外すことができる。
【００２２】
本発明の取水器のゴミ取り装置は、上記の実施例に限定されるものではなく、請求項の範囲を超えない程度に、適宜変更は可能である。
例えば、上記実施例では螺旋部４１がアダプター室４に一体的に構成されているが、別体に構成しても構わない。
また、上記実施例では沈殿室２およびオーバーフロー壁７の形状を上面視円形状としているが、その形状は問わない。
また、上記実施例では沈殿槽２１を脱着自在な形状としているが、特に脱着自在としなくても構わない。
また、上記実施例の分離板３の形状は、中心部に開口部３１を備えた漏斗状の形状としてもまわない。
また、上記実施例では流入口５を、沈殿室２若しくはオーバーフロー壁７の外周上の接線と流入口５の管芯との交点で偏芯して配置されているが、このように偏芯を発生させず流入口５を沈殿室２若しくはオーバーフロー壁７の管芯と流入口５の管芯の交点となる箇所に構成したとしても、排水中のゴミや砂は分離板３より下方、即ち沈殿槽２１に沈殿するため、特に問題はない。
【符号の説明】
【００２３】
１    取水器
２    沈殿室
２１  沈殿槽
３    分離板
３１  開口部
４    アダプター室
４１  螺旋部
４２  通水空間
５    流入口
６    流出口
７    オーバーフロー壁
８    雨水タンク
９    雨樋
９１  竪樋
９２  軒樋
９３  集水器
【図１】
2011149180.tif 000003
【図２】
2011149180.tif 000004
【図３】
2011149180.tif 000005
【図４】
2011149180.tif 000006
【図５】
2011149180.tif 000007
【図６】
2011149180.tif 000008
【図７】
2011149180.tif 000009
【図８】
2011149180.tif 000010
【図９】
2011149180.tif 000011
【図１０】
2011149180.tif 000012
【図１１】
2011149180.tif 000013
【図１２】
2011149180.tif 000014
【図１３】
2011149180.tif 000015
【図１４】
2011149180.tif 000016
【図１５】
2011149180.tif 000017